(57)【要約】【課題】排気用の複数の冷却ファンユニットのみで冷却を行い、一部のユニットの故障や交換の際に冷却効果を保持できる電子機器冷却システム、方法およびプログラムを得ること。【解決手段】平板状部材１２は空冷部品収容筐体１１の上部に通路開閉部材１４を介して複数の冷却ユニット１３を着脱自在に載置している。ユニット変更時冷却ファン駆動パルス変更手段１６は、冷却ユニット着脱検出手段１５の検出結果に応じて冷却ファンの駆動パルスのパルス幅を空冷特性維持のため変更する。冷却ファンが故障している箇所の通路開閉部材１４は閉じてエアーの逆流を防止する。【選択図】図１
2011249505.tif 000002
【特許請求の範囲】
【請求項１】
空冷の対象となる回路部品を収容した空冷部品収容筐体と、
この空冷部品収容筐体の上部を覆うように水平に配置されエアー通過用の開口部を有する平板状部材と、
この平板状部材上に着脱自在に載置され、前記空冷部品収容筐体の上部からその筐体内部のエアーを吸引して排出する冷却ファンをそれぞれ収容した複数の冷却ユニットと、
前記複数の冷却ユニットのそれぞれと前記平板状部材の間の隙間に配置され、前記冷却ファンが作動していない箇所では所定間隔で複数並列に配置された短冊状の開閉部材が互いに重力によって水平に折り重なってエアーの通路を塞ぎ、前記冷却ファンが作動している箇所ではエアーの吸引によってそれぞれの開閉部材がそれらの支点を中心にエアーの吸引方向に変位してエアーの通路を開く通路開閉部材と、
前記複数の冷却ユニットのそれぞれの着脱を検出する冷却ユニット着脱検出手段と、
この冷却ユニット着脱検出手段の検出結果に応じて前記平板状部材に載置されている冷却ユニットに収容されているそれぞれの冷却ファンに印加する駆動パルスのパルス幅の一部または全部を空冷特性維持のため変更するユニット変更時冷却ファン駆動パルス変更手段
とを具備することを特徴とする電子機器冷却システム。
【請求項２】
前記空冷部品収容筐体に着脱自在に収容された複数の回路部品の着脱を検出する回路部品着脱検出手段と、
この回路部品着脱検出手段の検出結果に応じて前記平板状部材に載置されている冷却ユニットに収容されているそれぞれの冷却ファンに印加する駆動パルスのパルス幅の一部または全部を空冷特性維持のため変更する回路部品変更時冷却ファン駆動パルス変更手段
を更に具備することを特徴とする請求項１記載の電子機器冷却システム。
【請求項３】
前記複数の冷却ユニットのそれぞれ収容する複数個の冷却ファンの故障の有無を検出する冷却ファン故障有無検出手段と、
この冷却ファン故障有無検出手段の検出結果に応じて前記平板状部材に載置されている冷却ユニットに収容されているそれぞれの冷却ファンに印加する駆動パルスのパルス幅の一部または全部を空冷特性維持のため変更する故障時冷却ファン駆動パルス変更手段
を更に具備することを特徴とする請求項１記載の電子機器冷却システム。
【請求項４】
前記ユニット変更時冷却ファン駆動パルス変更手段、回路部品変更時冷却ファン駆動パルス変更手段あるいは故障時冷却ファン駆動パルス変更手段は、該当する変更内容と対応するパルス幅を予め対比させて記憶したテーブルを用いて該当する冷却ファンの駆動パルスのパルス幅を変更することを特徴とする請求項１〜請求項３いずれかに記載の電子機器冷却システム。
【請求項５】
前記複数の冷却ユニットは、同一形状および同一構造となっており、前記平板状部材の予め定めたユニット単位の区画のいずれに対しても着脱自在であることを特徴とする請求項１記載の電子機器冷却システム。
【請求項６】
前記複数の冷却ユニットのそれぞれには前記冷却ファンに駆動のための定電圧を供給する定電圧制御回路と、前記冷却ファンの異常を検出するファン側アラーム検出回路と、前記冷却ファンの駆動パルスを供給する駆動パルス供給回路が備えられており、
前記平板状部材の内部には前記複数の冷却ユニットのそれぞれの前記ファン側アラーム検出回路から送られてくるアラームを集結する平板状部材側アラーム検出回路と、前記複数の回路部品および前記複数の冷却ユニットの実装状態を判別する実装情報制御回路と、前記平板状部材側アラーム検出回路で集結したアラームと前記実装情報制御回路の判別した実装状態を基にして前記駆動パルスのパルス幅を制御するパルス幅制御回路が備えられていることを特徴とする請求項２記載の電子機器冷却システム。
【請求項７】
前記平板状部材の内部に備えられる回路の少なくとも一部は前記空冷部品収容筐体に分離して配置されることを特徴とする請求項６記載の電子機器冷却システム。
【請求項８】
空冷部品収容筐体に収容された空冷の対象となる複数の回路部品の実装状況を検出する回路部品実装状況検出ステップと、
前記空冷部品収容筐体の上部を覆うように水平に配置されエアー通過用の開口部を有する平板状部材上に着脱自在に載置され、前記空冷部品収容筐体の上部からその筐体内部のエアーを吸引して排出する冷却ファンをそれぞれ収容した複数の冷却ユニットの装着状況を検出する冷却ユニット装着状況検出ステップと、
これら回路部品実装状況検出ステップおよび冷却ユニット装着状況検出ステップで検出した状況に対応させて、装着状態にある冷却ユニットの個々の冷却ファンの駆動パルスのパルス幅を設定するパルス幅設定ステップ
とを具備することを特徴とする電子機器冷却方法。
【請求項９】
コンピュータに、
空冷部品収容筐体に収容された空冷の対象となる複数の回路部品の実装状況を検出する回路部品実装状況検出処理と、
前記空冷部品収容筐体の上部を覆うように水平に配置されエアー通過用の開口部を有する平板状部材上に着脱自在に載置され、前記空冷部品収容筐体の上部からその筐体内部のエアーを吸引して排出する冷却ファンをそれぞれ収容した複数の冷却ユニットの装着状況を検出する冷却ユニット装着状況検出処理と、
これら回路部品実装状況検出処理および冷却ユニット装着状況検出処理で検出した状況に対応させて、装着状態にある冷却ユニットの個々の冷却ファンの駆動パルスのパルス幅を設定するパルス幅設定処理
とを具備することを特徴とする電子機器冷却プログラム。
【発明の詳細な説明】
【技術分野】
【０００１】
本発明は、冷却ファンを用いて、たとえばサーバ等の電子機器を空冷するのに好適な電子機器冷却システム、電子機器冷却方法および電子機器冷却プログラムに関する。
【背景技術】
【０００２】
近年、通信機器やサーバ等の電子機器は小型化、高性能化が進んでおり、装置の体積当たりの発熱量が増大している。このため、電子機器によっては冷却ファンで内部を空冷する必要性が高まっている。冷却ファンは他の電子部品と同様に故障の可能性が皆無ではない。電子機器の使用環境によっては冷却ファンが故障したときであっても、装置を作動させた状態で冷却ファンの交換を行う必要のある場合がある。
【０００３】
そこで電子機器の故障時の交換の利便性を考慮して、複数の冷却ファンを使用して電子機器冷却システムを構成することが本発明に関する第１の関連技術として提案されている（たとえば特許文献１参照）。
【０００４】
図１２は、この第１の関連技術による電子機器冷却システムの概略構成を示したものである。電子機器冷却システム１００は、器匡１０１の内部の上部に排気用の複数の冷却ファン１０２を備えた排気冷却ファン装置１０３が配置されており、底部には複数の冷却ファン１０４を備えた吸気冷却ファン装置１０５が配置されている。これら排気冷却ファン装置１０３と吸気冷却ファン装置１０５の間に複数段のシェルフ１０６1〜１０６Mが上下方向に配置されている。この電子機器冷却システム１００では、矢印１０７で示すように器匡１０１の底部から空気が取り入れられて、矢印１０８で示すように器匡１０１の上部から排気される。
【０００５】
この第１の関連技術の電子機器冷却システム１００では、冷却ファン１０２、１０４の一部が故障すると、この検知が行われて、アラームが発生するようになっている。また、電子回路パッケージを搭載したシェルフ１０６1〜１０６Mの段数Ｍの増減に応じて冷却ファンの回転数を増減させるようになっている。
【０００６】
この第１の関連技術による電子機器冷却システム１００では、器匡１０１の底部から空気を取り込んで上部から排出しているので、冷却ファン１０２、１０４の一部が故障しても器匡１０１内部の空気の流れは変わらない。すなわち、たとえば冷却ファン１０２の一部が故障しても、この故障した箇所から外部の空気が流入して装置内部の冷却効率を低下させるという問題は発生しない。しかしながら、図１２に示す電子機器冷却システム１００では排気冷却ファン装置１０３と吸気冷却ファン装置１０５を備えるので、装置が大型化するという問題がある。そこで、排気用の冷却ファンのみを配置した電子機器冷却システムも広く使用されている。
【０００７】
図１３は、排気用の冷却ファンのみを配置した電子機器冷却システムで一部の冷却ファンが故障した場合の装置内の冷却の状態の一例を示したものである。この例の場合で、電子機器冷却システム１２０内の排気用の冷却ファン１０２1、１０２2が正常に回転し、残りの冷却ファン１０２3が故障してその回転を停止したとする。すると、冷却ファン１０２3に面した開口部を介して排気した温かい空気が装置内部に逆流することになって、排気が十分行われないことと相まって冷却性能を著しく阻害することになる。
【０００８】
そこで、本発明の第２の関連技術として、排気用の冷却ファンのみが存在する電子機器冷却システムにおける排気用の開口部にシャッタを設けて、空気がシステムを構成する装置内部に逆流することを防止することが提案されている（たとえば特許文献２参照）。この第２の関連技術では、１台の冷却ファンごとに、排気用の開口部に４枚のシャッタを取り付けている。シャッタは薄いシート状のポリ塩化ビニール樹脂が用いられ、長方形状となっており、それぞれの上部に横方向にヒンジ部として機能するミシン目が施されている。このため、冷却ファンが作動して風圧が生じると、シャッタは排気のために開放される。冷却ファンが作動しない場合にはシャッタが閉じて、排気した温かい空気が装置内部に逆流することを防止する。
【先行技術文献】
【特許文献】
【０００９】
【特許文献１】特開平０６−２７２９６４号公報（第００２１段落、図２）
【特許文献２】特開平１１−０２２６９８号公報（第００２５段落、第００２７段落、第００３３段落、図４）
【発明の概要】
【発明が解決しようとする課題】
【００１０】
この第２の関連技術では、たとえば図１３における３台の冷却ファン１０２1〜１０２3のうちの１台の冷却ファン１０２3が故障したとしたとき、残りの２台の冷却ファン１０２1、１０２2で通常通りの冷却動作を続けることになる。したがって、ファン冷却装置１２０の冷却能力が不足して装置内部の温度が上昇し、内部の半導体等の部品に悪影響を与えるおそれがあった。冷却ファン１０２1〜１０２3のそれぞれが独立して着脱自在なユニットとして構成されている場合に、故障した冷却ファンのユニットを交換する場合にも、その間は同様に電子機器冷却システム１２０を構成する装置内部の温度が上昇してしまうという問題があった。
【００１１】
そこで本発明の目的は、排気用の複数の冷却ファンユニットのみで冷却を行い、一部のユニットの故障や交換の際に装置内部の冷却効果を保持することのできる電子機器冷却システム、電子機器冷却方法および電子機器冷却プログラムを提供することにある。
【課題を解決するための手段】
【００１２】
本発明では、（イ）空冷の対象となる回路部品を収容した空冷部品収容筐体と、（ロ）この空冷部品収容筐体の上部を覆うように水平に配置されエアー通過用の開口部を有する平板状部材と、（ハ）この平板状部材上に着脱自在に載置され、前記した空冷部品収容筐体の上部からその筐体内部のエアーを吸引して排出する冷却ファンをそれぞれ収容した複数の冷却ユニットと、（ニ）前記した複数の冷却ユニットのそれぞれと前記した平板状部材の間の隙間に配置され、前記した冷却ファンが作動していない箇所では所定間隔で複数並列に配置された短冊状の開閉部材が互いに重力によって水平に折り重なってエアーの通路を塞ぎ、前記した冷却ファンが作動している箇所ではエアーの吸引によってそれぞれの開閉部材がそれらの支点を中心にエアーの吸引方向に変位してエアーの通路を開く通路開閉部材と、（ホ）前記した複数の冷却ユニットのそれぞれの着脱を検出する冷却ユニット着脱検出手段と、（へ）この冷却ユニット着脱検出手段の検出結果に応じて前記した平板状部材に載置されている冷却ユニットに収容されているそれぞれの冷却ファンに印加する駆動パルスのパルス幅の一部または全部を空冷特性維持のため変更するユニット変更時冷却ファン駆動パルス変更手段とを電子機器冷却システムが具備する。
【００１３】
また、本発明では、（イ）空冷部品収容筐体に収容された空冷の対象となる複数の回路部品の実装状況を検出する回路部品実装状況検出ステップと、（ロ）前記した空冷部品収容筐体の上部を覆うように水平に配置されエアー通過用の開口部を有する平板状部材上に着脱自在に載置され、前記した空冷部品収容筐体の上部からその筐体内部のエアーを吸引して排出する冷却ファンをそれぞれ収容した複数の冷却ユニットの装着状況を検出する冷却ユニット装着状況検出ステップと、（ハ）これら回路部品実装状況検出ステップおよび冷却ユニット装着状況検出ステップで検出した状況に対応させて、装着状態にある冷却ユニットの個々の冷却ファンの駆動パルスのパルス幅を設定するパルス幅設定ステップとを電子機器冷却方法が具備する。
【００１４】
更に本発明では、コンピュータに、電子機器冷却プログラムとして、（イ）空冷部品収容筐体に収容された空冷の対象となる複数の回路部品の実装状況を検出する回路部品実装状況検出処理と、（ロ）前記した空冷部品収容筐体の上部を覆うように水平に配置されエアー通過用の開口部を有する平板状部材上に着脱自在に載置され、前記した空冷部品収容筐体の上部からその筐体内部のエアーを吸引して排出する冷却ファンをそれぞれ収容した複数の冷却ユニットの装着状況を検出する冷却ユニット装着状況検出処理と、（ハ）これら回路部品実装状況検出処理および冷却ユニット装着状況検出処理で検出した状況に対応させて、装着状態にある冷却ユニットの個々の冷却ファンの駆動パルスのパルス幅を設定するパルス幅設定処理とを実行させる。
【発明の効果】
【００１５】
以上説明したように本発明によれば、複数の冷却ユニットのそれぞれと平板状部材の間の隙間に通路開閉部材を配置することにしたので、一部の冷却ユニットあるいは冷却ファンが故障するとその対応箇所の通路開閉部材が閉じ、周囲の排出したエアーが逆流することがない。しかも本発明ではユニット変更時冷却ファン駆動パルス変更手段が冷却ユニット着脱検出手段の検出結果に応じて冷却ユニットに収容されているそれぞれの冷却ファンに印加する駆動パルスのパルス幅の一部または全部を変更する。したがって、空冷の対象となる回路部品の空冷の特性を維持することができるばかりでなく、効率的な冷却が可能になる。この結果、冷却ユニットの交換までの所要時間を延命させることができるとともに、消費電力を抑えることができる。
【図面の簡単な説明】
【００１６】
【図１】本発明の電子機器冷却システムのクレーム対応図である。
【図２】本発明の電子機器冷却方法のクレーム対応図である。
【図３】本発明の電子機器冷却プログラムのクレーム対応図である。
【図４】本発明の実施の形態による電子機器冷却システムの構成の概要を表わした斜視図である。
【図５】本実施の形態のファンユニットを斜め上方から見た要部斜視図である。
【図６】本実施の形態の第１の分割ファンユニットの斜視図である。
【図７】本実施の形態のトレイユニットおよび共通制御部を真上から見た平面図である。
【図８】本実施の形態のファンユニットの回路構成を表わしたブロック図である。
【図９】本実施の形態におけるトレイ側アラーム検出回路の制御の様子を表わした流れ図である。
【図１０】本実施の形態における実装情報制御回路の制御の様子を表わした流れ図である。
【図１１】本実施の形態におけるＰＷＭ制御回路の制御の様子を表わした流れ図である。
【図１２】第１の関連技術による電子機器冷却システムの概略構成図である。
【図１３】排気用の冷却ファンのみを配置した電子機器冷却システムで一部の冷却ファンが故障した場合の装置内の冷却の状態の一例を示した説明図である。
【発明を実施するための形態】
【００１７】
図１は、本発明の電子機器冷却システムのクレーム対応図を示したものである。本発明の電子機器冷却システム１０は、空冷部品収容筐体１１と、平板状部材１２と、複数の冷却ユニット１３と、通路開閉部材１４と、冷却ユニット着脱検出手段１５と、ユニット変更時冷却ファン駆動パルス変更手段１６を備えている。ここで、空冷部品収容筐体１１は、空冷の対象となる回路部品を収容する。平板状部材１２は、空冷部品収容筐体１１の上部を覆うように水平に配置されエアー通過用の開口部を有する。複数の冷却ユニット１３は、平板状部材１２上に着脱自在に載置され、空冷部品収容筐体１１の上部からその筐体内部のエアーを吸引して排出する冷却ファンをそれぞれ収容している。通路開閉部材１４は、複数の冷却ユニット１３のそれぞれと平板状部材１２の間の隙間に配置されている。そして、前記した冷却ファンが作動していない箇所では所定間隔で複数並列に配置された短冊状の開閉部材が互いに重力によって水平に折り重なってエアーの通路を塞ぎ、前記した冷却ファンが作動している箇所ではエアーの吸引によってそれぞれの開閉部材がそれらの支点を中心にエアーの吸引方向に変位してエアーの通路を開く。冷却ユニット着脱検出手段１５は、複数の冷却ユニット１３のそれぞれの着脱を検出する。ユニット変更時冷却ファン駆動パルス変更手段１６は、冷却ユニット着脱検出手段１５の検出結果に応じて平板状部材１２に載置されている冷却ユニットに収容されているそれぞれの冷却ファンに印加する駆動パルスのパルス幅の一部または全部を空冷特性維持のため変更する。
【００１８】
図２は、本発明の電子機器冷却方法のクレーム対応図を示したものである。本発明の電子機器冷却方法２０は、回路部品実装状況検出ステップ２１と、冷却ユニット装着状況検出ステップ２２と、パルス幅設定ステップ２３を備えている。ここで、回路部品実装状況検出ステップ２１では、空冷部品収容筐体に収容された空冷の対象となる複数の回路部品の実装状況を検出する。冷却ユニット装着状況検出ステップ２２では、複数の冷却ユニットの装着状況を検出する。ここで前記した複数の冷却ユニットは、前記した空冷部品収容筐体の上部を覆うように水平に配置されエアー通過用の開口部を有する平板状部材上に着脱自在に載置され、前記した空冷部品収容筐体の上部からその筐体内部のエアーを吸引して排出する冷却ファンをそれぞれ収容している。パルス幅設定ステップ２３は、回路部品実装状況検出ステップ２１および冷却ユニット装着状況検出ステップ２２で検出した状況に対応させて、装着状態にある前記した複数の冷却ユニットの個々の冷却ファンの駆動パルスのパルス幅を設定する。
【００１９】
図３は、本発明の電子機器冷却プログラムのクレーム対応図を示したものである。本発明の電子機器冷却プログラム３０は、コンピュータに、回路部品実装状況検出処理３１と、冷却ユニット装着状況検出処理３２と、パルス幅設定処理３３を実行させるようにしている。ここで、回路部品実装状況検出処理３１では、空冷部品収容筐体に収容された空冷の対象となる複数の回路部品の実装状況を検出する。冷却ユニット装着状況検出処理３２では、複数の冷却ユニットの装着状況を検出する。ここで前記した複数の冷却ユニットは、前記した空冷部品収容筐体の上部を覆うように水平に配置されエアー通過用の開口部を有する平板状部材上に着脱自在に載置され、前記した空冷部品収容筐体の上部からその筐体内部のエアーを吸引して排出する冷却ファンをそれぞれ収容している。パルス幅設定処理３３では、回路部品実装状況検出処理３１および冷却ユニット装着状況検出処理３２で検出した状況に対応させて、装着状態にある前記した複数の冷却ユニットの個々の冷却ファンの駆動パルスのパルス幅を設定する。
【００２０】
＜発明の実施の形態＞
【００２１】
次に本発明の実施の形態を説明する。
【００２２】
図４は、本発明の実施の形態による電子機器冷却システムの構成の概要を表わしたものである。本実施の形態の電子機器冷却システム２００は、システム本体２０１と、その上部に配置された冷却用のファンユニット２０２から構成されている。
【００２３】
システム本体２０１は、その上部の所定位置にモジュール型通信システム２１１が配置されている。モジュール型通信システム２１１を除いたシステム本体２０１の残りの空間領域には、第１〜第８のラインカード２１２1〜２１２8と、第１および第２のスイッチ・制御カード２１３1、２１３2がそれぞれ縦型のカードとして装着されている。このうち第１および第２のスイッチ・制御カード２１３1、２１３2は、第１〜第４のラインカード２１２1〜２１２4と、第５〜第８のラインカード２１２5〜２１２8の間に挟まれるように配置されている。第１〜第８のラインカード２１２1〜２１２8は、モジュール型通信システム２１１をＷＡＮ（Wide Area Network）あるいはＬＡＮ（Local Area  Network）に接続するためのインタフェース回路としての機能を有するカードである。第１および第２のスイッチ・制御カード２１３1、２１３2は、第１〜第８のラインカード２１２1〜２１２8の間のスイッチング処理を行う。
【００２４】
ファンユニット２０２は、冷却ファンの故障時の障害が局所的に集中するのを防止するために複数の分割ファンユニットを備えており、更にこれらの分割ファンユニットは複数個の排気用の冷却ファンを配置している。したがって、ファンユニット２０２が正常に作動しているとき、システム本体２０１の筐体底部から矢印２２１で示すようにエアーが取り込まれ、矢印２２２で示すようにファンユニット２０２の上部から排出されることになる。
【００２５】
図５は、ファンユニットの要部を斜め上方から見たものである。本実施の形態のファンユニット２０２は、全く同一の形状および構造の第１〜第４の分割ファンユニット２３１1〜２３１4を並列に台座部分としてのトレイユニット２３２に装着した構造となっている。
【００２６】
トレイユニット２３２の後端部には、各分割ファンユニット２３１1〜２３１4の高さ分だけ垂直に立ち上がった壁状の共通制御部２３４が取り付けられている。共通制御部２３４におけるそれぞれの分割ファンユニット２３１の後端部と対向する位置には、図示しない雌型の共通制御部側コネクタが取り付けられている。これらの共通制御部側コネクタは、第１〜第４の分割ファンユニット２３１1〜２３１4の図示しない雄型のユニット側コネクタと接続されている。
【００２７】
図６は、第１の分割ファンユニットを示したものである。図５に示した第２〜第４の分割ファンユニット２３１2〜２３１4は第１の分割ファンユニット２３１1と構造が全く同じなので、これらの図示および説明は省略する。
【００２８】
第１の分割ファンユニット２３１1は、その本体内部に図示しないが３個の排気用の冷却ファンを配置している。本体上面２３１Ａは細長い長方形をしており、冷却ファンのそれぞれに対応した箇所には排気口２４１〜２４３が開口している。排気口２４１〜２４３には、ファンガード２４４が取り付けられている。
【００２９】
第１の分割ファンユニット２３１1の図で手前に配置された側板２３１Ｂには、把手２４５が取り付けられている。把手２４５は図５に示したトレイユニット２３２から分割ファンユニット２３１を持ち上げて取り出すために使用する。側板２３１Ｂにおける把手２４５の下の部位には、内蔵された３個の冷却ファンにそれぞれ対応したヒューズ２４６〜２４８が配置されている。ヒューズ２４６〜２４８は、冷却ファンに過電流が流れたとき溶断して安全を確保する。
【００３０】
一番左側に配置されたヒューズ２４６の少し上には発光ダイオード２４９が配置されている。発光ダイオード２４９は、第１の分割ファンユニット２３１1が図５に示したトレイユニット２３２に正常に装着された状態で緑色に点灯し、異常が発生したときに赤色に点灯する。もちろん、発光ダイオード２４９は単色で点灯して、連続点灯と点滅の切り替えによってこれら２つの状態を表示するようになっていてもよい。
【００３１】
第１の分割ファンユニット２３１1の図示しないユニット底部は、エアーを吸引する開口部を形成している。第１の分割ファンユニット２３１1の内部には、それぞれの冷却ファンとヒューズ２４６〜２４８を結ぶ配線が行われている。それぞれの冷却ファンは、前記したユニット側コネクタに接続された前記した共通制御部側コネクタを介して電力の供給を受けてそれらの回転数を制御されるようになっている。
【００３２】
一方、第１の分割ファンユニット２３１1の両側部２３１Ｃ、２３１Ｄは開口部の存在しない板材で構成されている。したがって、第１の分割ファンユニット２３１1はその内蔵されている冷却ファンがすべて正常に作動すると、エアーはユニット底部の前記した開口部から吸い込まれ、上方に移動して排気口２４１〜２４３から排出されることになる。
【００３３】
図７は、トレイユニットおよび共通制御部を真上から見たものである。トレイユニット２３２には、図５に示した第１〜第４の分割ファンユニット２３１1〜２３１4をそれぞれ定位置にセットするためのガイドとしての役割を果たす３本のスリット２５１〜２５３が配置されている。
【００３４】
これらのスリット２５１〜２５３によって区画された４つの領域には、図６に示す排気口２４１〜２４３に対応する箇所にフラッパ２５４が配置されている。フラッパ２５４は、換気扇の排気口に配置される短冊状のシャッタと同一の構造をしている。短冊状の１枚１枚のフラッパ２５４は、これらに対向する図示しない冷却ファンが作動してエアーの吸引が行われている状態で、負の風圧によって回転軸を中心に回転して垂直に変位し、これらの間にエアーの通過する開口部を形成する。また、冷却ファンが作動していない状態で１枚１枚のフラッパ２５４は自重によって水平に配列し、互いに一部領域を重ね合わせてエアーの通過を遮る。エアーがファンユニット２０２からモジュール型通信システム２０１を構成する筐体の内部に逆流する方向に流れようとするとき、あるいは冷却ファンが逆回転するときには、フラッパ２５４同士が重ね合わされた状態を保ち、エアーの逆流を防止する。
【００３５】
共通制御部２３４の壁面には、共通制御部側コネクタ２６１〜２６４が埋設されている。これらの共通制御部側コネクタ２６１〜２６４は、図５に示した第１〜第４の分割ファンユニット２３１1〜２３１4のそれぞれの前記したユニット側コネクタを嵌合させるようになっている。
【００３６】
図８は、本実施の形態のファンユニットの回路構成を表わしたものである。図４と共に説明する。
【００３７】
ファンユニット２０２は、トレイユニット２３２内に配置された回路部分と、トレイユニット２３２の上部に載置された第１〜第４の分割ファンユニット２３１1〜２３１4から構成されている。前記したようにトレイユニット２３２内に配置された回路部分は、前記した雌型の共通制御部側コネクタと雄型のユニット側コネクタを介して第１〜第４の分割ファンユニット２３１1〜２３１4と接続されている。
【００３８】
トレイユニット２３２内には、トレイ側アラーム検出回路２７１、実装情報制御回路２７２およびＰＷＭ（Pulse Width Modulation）制御回路２７３が配置されている。また、分割ファンユニット２３１1〜２３１4内には、それぞれ定電圧制御回路２７４と、ファン側アラーム検出回路２７５およびＰＷＭ制御信号切替回路２７６および複数（本実施の形態では３個ずつ）の冷却ファン２７７が配置されている。ただし、ここでは第１の分割ファンユニット２３１1のみ具体的な回路構成を示している。
【００３９】
トレイユニット２３２内のトレイ側アラーム検出回路２７１は、第１〜第４の分割ファンユニット２３１1〜２３１4で発生した障害およびトレイユニット２３２の内部で発生した障害を、アラーム検出信号２８１としてモジュール型通信システム２１１（図４）に通知する。モジュール型通信システム２１１は、アラーム検出信号２８１を受信すると、第１〜第４の分割ファンユニット２３１1〜２３１4のうちで障害の発生したユニットあるいはトレイユニット２３２の場所の表示とアラームの警報を行う。アラームの警報は、図示しないランプの点灯等の視覚的な方法で行ってもよいし、警報音を出力してもよい。
【００４０】
実装情報制御回路２７２は、第１〜第４の分割ファンユニット２３１1〜２３１4の実装状態を監視すると共にその実装情報２８２をモジュール型通信システム２１１に通知する。実装情報制御回路２７２は、また、モジュール型通信システム２１１から搭載カードの実装情報、搭載カードの稼働情報２８３1〜２８３10を受信する。ここで搭載カードとは、第１〜第８のラインカード２１１1〜２１１8と、第１および第２のスイッチ・制御カード２１２1、２１２2を示している。実装情報制御回路２７２は稼働情報２８３1〜２８３10を受信すると、第１〜第４の分割ファンユニット２３１1〜２３１4に使用されている冷却ファン２７７の回転数の制御を行うようになっている。この制御は、ＰＷＭ制御回路２７３によって行われる。
【００４１】
ＰＷＭ制御回路２７３は、第１〜第４の分割ファンユニット２３１1〜２３１4に使用されている冷却ファン２７７の回転数を、駆動パルスの周期と幅を制御することで調整する。これにより、第１〜第４の分割ファンユニット２３１1〜２３１4の風量が調整される。たとえば、第１の分割ファンユニット２３１1に障害が発生してその風量が低下したとき、残りの第２〜第４の分割ファンユニット２３１2〜２３１4の風量を変更する。これにより、モジュール型通信システム２０１を構成する筐体の内部における風量を障害発生前に近似させる制御が行われる。
【００４２】
定電圧制御回路２７４は、電源ライン２９１を通じて冷却ファン２７７に対して供給する電圧が入力電圧の変動で左右されないように一定電圧に変換するようになっている。電源ライン２９１は、トレイユニット２３２内の各部にも供給されている。
【００４３】
ファン側アラーム検出回路２７５は、冷却ファン２７７および第１〜第４の分割ファンユニット２３１1〜２３１4の障害の有無を検出し、この結果に応じてＨレベル(アラームあり)またはＬレベル(アラームなし)を示すアラーム検出信号２９２をトレイユニット２３２に対して通知する。このためには、たとえば各冷却ファン２７７に光学的なマーキングをしておき、羽根が回転しているか停止しているかを反射光または透過光の強度の時間的な変化で検出する。各冷却ファン２７７の回転の有無は、この他に、磁気的な検出や各冷却ファン２７７の回転に伴う震動の有無による検出といった各種の検出方法を採用することができる。トレイユニット２３２では、アラーム検出信号２９２をトレイ側アラーム検出回路２７１が収集することになる。
【００４４】
ＰＷＭ制御信号切替回路２７６は、ファン側アラーム検出回路２７５で検出した情報２９２を基にして、トレイユニット２３２のＰＷＭ制御回路２７３から通知されるＰＷＭ制御信号２９６を受信する。また、トレイユニット２３２の実装情報制御回路２７２から第１〜第４の分割ファンユニット２３１1〜２３１4についての実装情報２９７を受信する。そして、ファン側アラーム検出回路２７５から出力されるアラーム検出信号２９８と共にして、冷却ファン制御信号２９９をそれぞれの冷却ファン２７７に個別に供給する。各冷却ファン２７７には定電圧制御回路２７４から定電圧信号３０１が供給されており、冷却ファン制御信号２９９と併せてＰＷＭ制御による風量制御が行われる。
【００４５】
この図８に示したトレイユニット２３２および第１〜第４の分割ファンユニット２３１1〜２３１4は、必要に応じて図示しないＣＰＵ（Central Processing Unit）およびメモリを備えている。そして、メモリに格納された制御プログラムをＣＰＵが実行することでトレイ側アラーム検出回路２７１等の各部をソフトウェア的に実現している。もちろん、これらの回路がハードウェアによって実現されていてもよい。図４に示したモジュール型通信システム２１１の制御についても、同様にその一部または全部をソフトウェア的に行ってもよいしハードウェアを使用してもよい。
【００４６】
＜電子機器冷却システム２００の動作＞
【００４７】
図９は、トレイ側アラーム検出回路の制御の様子を表わしたものである。図４および図８と共に説明する。
【００４８】
トレイ側アラーム検出回路２７１は、第１〜第４の分割ファンユニット２３１1〜２３１4からの障害発生時の受信（ステップＳ４０１）と、トレイユニット２３２における実装情報制御回路２７２およびＰＷＭ制御回路２７３の障害発生時の受信（ステップＳ４０２）を待機している。第１〜第４の分割ファンユニット２３１1〜２３１4のいずれかから障害発生の受信があったら（ステップＳ４０１：Ｙ）、これを障害情報としてモジュール型通信システム２１１（図４）に通知し（ステップＳ４０３）、処理をステップＳ４０１に戻す（リターン）。実装情報制御回路２７２およびＰＷＭ制御回路２７３のいずれかから障害発生の受信があった場合にも（ステップＳ４０２：Ｙ）、同様にこれを障害情報としてモジュール型通信システム２１１に通知して（ステップＳ４０３）、処理をステップＳ４０１に戻す（リターン）。
【００４９】
図１０は、実装情報制御回路の制御の様子を表わしたものである。図４および図８と共に説明する。
【００５０】
実装情報制御回路２７２は、第１〜第４の分割ファンユニット２３１1〜２３１4の実装を監視するタイミングが到来したか（ステップＳ４２１）と、モジュール型通信システム２１１から受信があったか（ステップＳ４２２）と、アラームの受信があったか（ステップＳ４２３）の監視を行っている。
【００５１】
第１〜第４の分割ファンユニット２３１1〜２３１4の実装を監視する予め定めたタイミングが到来したら（ステップＳ４２１：Ｙ）、所定のパラメータＭを「１」に初期化する（ステップＳ４２４）。そして、トレイユニット２３２における第１の分割ファンユニット２３１1の装着位置に分割ファンユニット２３１が装着されているかをチェックする（ステップＳ４２５）。これは、たとえば該当する位置のトレイユニット２３２の前記した雄型コネクタの所定のピンに電圧が印加されているかを調べることでチェックすることができる。
【００５２】
一番目の分割ファンユニット２３１についての装着の有無のチェックが終了したら、現在のパラメータＭがトレイユニット２３２の最大収容数である数値「４」以上であるかをチェックして（ステップＳ４２６）、そうでない場合には（Ｎ）、パラメータＭを「１」だけ加算する（ステップＳ４２７）。そして、ステップＳ４２５の処理に進むことになる。この場合には、第２の分割ファンユニット２３１2の装着位置に分割ファンユニット２３１が装着されているかのチェックが行われる（ステップＳ４２５）。以下、同様である。
【００５３】
このようにして第１〜第４の分割ファンユニット２３１1〜２３１4の実装の有無がすべてチェックされたら（ステップＳ４２６：Ｙ）、トレイユニット２３２に第１〜第４の分割ファンユニット２３１1〜２３１4のいずれが装着されているかを実装情報としてモジュール型通信システム２１１に通知する（ステップＳ４２８）。そして、次にこの実装情報２９７をＰＷＭ制御信号切替回路２７６に通知して（ステップＳ４２９）、処理をステップＳ４２１に戻す（リターン）。
【００５４】
一方、モジュール型通信システム２１１から実装情報制御回路２７２が通知を受信した場合（ステップＳ４２１：Ｎ、ステップＳ４２２：Ｙ）、搭載カードの実装情報および搭載カードの稼働情報２８３1〜２８３10という受信内容をＰＷＭ制御信号切替回路２７６に通知する（ステップＳ４３０）。そして、これら搭載カードの実装情報および搭載カードの稼働情報２８３1〜２８３10をＰＷＭ制御回路２７３に通知して（ステップＳ４３１）、処理をステップＳ４２１に戻す（リターン）。すなわち、実装情報制御回路２７２は、搭載カードの実装情報および搭載カードの稼働情報２８３1〜２８３10によって、該当する位置の真上に位置する分割ファンユニット２３１にＰＷＭ制御情報切替信号を通知すると共に、これらの情報をＰＷＭ制御回路２７３にも通知することになる。
【００５５】
また、実装情報制御回路２７２はトレイ側アラーム検出回路２７１からアラームを受信した場合には（ステップＳ４２２：Ｎ、ステップＳ４２３：Ｙ）、このアラームをモジュール型通信システム２１１に通知する（ステップＳ４３２）。そして、処理をステップＳ４２１に戻すことになる（リターン）。
【００５６】
図１１は、ＰＷＭ制御回路の制御の様子を表わしたものである。図４および図８と共に説明する。
【００５７】
ＰＷＭ制御回路２７３は、まず所定のパラメータＵを「１」に初期化する（ステップＳ４５１）。そして、現在の第１〜第４の分割ファンユニット２３１1〜２３１4の実装情報を基にして、第１（第Ｕ）の分割ファンユニット２３１1がトレイユニット２３２に装着（実装）されているかどうかをチェックする（ステップＳ４５２）。装着されている場合には（Ｙ）、現時点での第１〜第４の分割ファンユニット２３１1〜２３１4の実装情報、搭載カードの実装情報および搭載カードの稼働情報を基にして、第１の分割ファンユニット２３１1に使用されている各冷却ファン２７７を駆動するＰＷＭ制御情報を演算する（ステップＳ４５３）。
【００５８】
このＰＷＭ制御情報の演算は、実際には図示しないＲＯＭ（Read Only Memory）に書き込まれた図示しないＰＷＭ制御情報格納テーブルからＰＷＭ制御情報を読み出す操作であってもよい。この場合のＰＷＭ制御情報格納テーブルには、第１〜第４の分割ファンユニット２３１1〜２３１4の実装情報、搭載カードの実装情報および搭載カードの稼働情報に対する理想的なＰＷＭ制御情報を各種の状況に対応させて実際に測定した測定結果を書き込んである。
【００５９】
たとえば、第１〜第４の分割ファンユニット２３１1〜２３１4がすべて実装されており、かつ第１〜第８のラインカード２１２1〜２１２8と、第１および第２のスイッチ・制御カード２１３1、２１３2がシステム本体２０１に実装されており、これらがすべて正常に稼働（作動）しているものとする。この正常状態では、それぞれの冷却ファン２７７を最大出力に対して３０パーセントの出力で回転するようなパルス幅がＰＷＭ制御情報で指示される。もちろん、第１〜第８のラインカード２１２1〜２１２8および第１および第２のスイッチ・制御カード２１３1、２１３2の実装率が低下すれば、それだけ冷却の対象となるカード類が減少するので、パルス幅を更に短くする制御が行われる。
【００６０】
一方、第１〜第８のラインカード２１２1〜２１２8および第１および第２のスイッチ・制御カード２１３1、２１３2がすべて実装されている状態でも、たとえば第２の分割ファンユニット２３１2が故障して、その交換のために取り外されているような状況がある。このような場合には、ファンユニット２０２に占める稼働可能な冷却ファン２７７の総数が４分の３に減少する。そこで残りの第１の分割ファンユニット２３１1および第３、第４の分割ファンユニット２３１3、２３１4が減少分の風量を補うようにこれらの冷却ファン２７７の出力を増大する制御が行われる。この例の場合、第１の分割ファンユニット２３１1および第３、第４の分割ファンユニット２３１3、２３１4それぞれの冷却ファン２７７を、たとえば最大出力に対して６０パーセントの出力で回転するようなパルス幅をＰＷＭ制御情報で指示するようにしてもよい。
【００６１】
また、第２の分割ファンユニット２３１2が取り外されている場合には、それに隣接している第１の分割ファンユニット２３１1と第３の分割ファンユニット２３１3の出力を、第４の分割ファンユニット２３１4の出力よりも高めた方が効率的であるという考えもある。この考えに立てば、たとえば第１の分割ファンユニット２３１1と第３の分割ファンユニット２３１3の出力を最大出力に対して７０パーセントの出力に増加させ、第４の分割ファンユニット２３１4については最大出力に対して４０パーセントの出力に増加させるようなパルス幅をＰＷＭ制御情報で指示するようにしてもよい。
【００６２】
更に、第２の分割ファンユニット２３１2に障害が発生している場合でも、これを構成する３個の冷却ファン２７７の一部のみが作動しない状態となっており、第２の分割ファンユニット２３１2自体はトレイユニット２３２に装着された状態である場合もある。この場合には、ファンユニット２０２に占める稼働可能な冷却ファン２７７の総数は１２分の１に減少している。このときの減少分の風量を補う制御は、第２の分割ファンユニット２３１2自体で正常に稼働できる残りの２個の冷却ファン２７７の出力をたとえば最大出力にまで増加させることで対処してもよいし、隣接する第１の分割ファンユニット２３１1と第３の分割ファンユニット２３１3の出力を若干増加させるようなＰＷＭ制御を行ってもよい。もちろん、これら双方の制御を組み合わせ、これに応じてそれぞれの分割ファンユニット２３１1〜２３１3あるいは第１〜第４の分割ファンユニット２３１1〜２３１4全体の正常な冷却ファン２７７の出力を少しずつ増加させる制御を行うようにしてもよい。先に説明したように、この制御の場合にも第１〜第８のラインカード２１２1〜２１２8および第１および第２のスイッチ・制御カード２１３1、２１３2の実装状況が影響を与える場合がある。
【００６３】
図１１のステップＳ４５３で、以上のような演算あるいはＰＷＭ制御情報格納テーブルからのＰＷＭ制御情報の読み出しが行われたら、第Ｕの分割ファンユニット２３１U（この場合には第１の分割ファンユニット２３１1）に対してＰＷＭ制御信号２９６が送信される（ステップＳ４５４）。第１の分割ファンユニット２３１1ではＰＷＭ制御信号２９６をＰＷＭ制御信号切替回路２７６が受信して、該当する冷却ファン２７７の駆動を制御することになる。
【００６４】
ＰＷＭ制御回路２７３は、ステップＳ４５４の送信処理を終了すると、現在のパラメータＵが分割ファンユニット２３１の最大装着個数である「４」以上であるかをチェックする（ステップＳ４５５）。現在のパラメータＵは「１」であり、数値「４」に満たない（Ｎ）。そこでこの場合にはパラメータＵを「１」だけカウントアップして（ステップＳ４５６）、ステップＳ４５２の処理に戻って、今度は第２の分割ファンユニット２３１2について同様の処理を行うことになる。
【００６５】
このようにして第１〜第４の分割ファンユニット２３１1〜２３１4についてこれらのＰＷＭ制御の演算とＰＷＭ制御信号２９６の送信処理が行われたら（ステップＳ４５５：Ｙ）、再びパラメータＵを初期化するステップＳ４５１の処理に戻る（リターン）。このようにして本実施の形態の電子機器冷却システム２００では、第１〜第４の分割ファンユニット２３１1〜２３１4の状況や搭載カードの実装状況および搭載カードの稼働状態の変化に応じた最適の空冷制御が継続して行われることになる。
【００６６】
以上の制御の結果、第１〜第４の分割ファンユニット２３１1〜２３１4では、それぞれの定電圧制御回路２７４で冷却ファン２７７に対して定電圧供給を行い、入力電圧の変動によるファンの回転数の変動を防ぐ。また、ファン側アラーム検出回路２７５では、冷却ファン２７７の故障や、定電圧制御回路２７４の故障、ＰＷＭ制御信号切替回路２７６の故障等の分割ファンユニット２３１内部の障害を検出した場合、トレイユニット２３２に対してアラーム情報を通知する。更に、ＰＷＭ制御信号切替回路２７６は、アラーム情報とトレイユニット２３２から通知される搭載カードの実装情報および稼働情報を基にして、ＰＷＭ制御信号２９６の切り替えを行い、稼働状況に応じて冷却ファン２７７の回転数の指示を行うことになる。
【００６７】
このような冷却ファン２７７の制御で、図７に示すフラッパ２５４がどのように作動するかを次に説明する。
【００６８】
たとえば図６に示す第１の分割ファンユニット２３１1における排気口２４１に対応する冷却ファン２７７が故障したとする。この冷却ファン２７７の回転数が弱まってその風量が減少すると、排気口２４１に対向配置されたフラッパ２５４は自重に耐え切れなくなって閉じる。このとき、排気口２４２および排気口２４３に対応する他の冷却ファン２７７は作動しているので、これら排気口２４２および排気口２４３からは、図４に示すモジュール型通信システム２０１を構成する筐体の内部からの温かいエアーが排出されている。
【００６９】
排気口２４１が開いたままでは、図１２で説明したようにこの温かいエアーが排気口２４１から筐体の内部に逆流して空冷の効果を著しく阻害することになる。しかしながら、排気口２４１に対向配置されたフラッパ２５４が閉じることにより、このようなエアーの逆流現象を防止することができる。
【００７０】
しかも、排気口２４１に対応する冷却ファン２７７が故障したことがファン側アラーム検出回路２７５によって検出され、トレイユニット２３２側に通知される。この結果、トレイユニット２３２内のＰＷＭ制御回路２７３は第１の分割ファンユニット２３１1における正常な冷却ファン２７７や、第２〜第４の分割ファンユニット２３１2〜２３１4のそれぞれの冷却ファン２７７の風量を増加させるＰＷＭ制御信号２９６を作成する。そして、ＰＷＭ制御信号２９６を第１〜第４の分割ファンユニット２３１1〜２３１4のうちの該当するものに送信する。これにより、第１〜第４の分割ファンユニット２３１1〜２３１4の全体で電子機器冷却システム２００における冷却能力を故障前と実質的に同一の状態に保ち、第１〜第８のラインカード２１２1〜２１２8と、第１および第２のスイッチ・制御カード２１３1、２１３2といった搭載カードの温度上昇を防ぐことができる。
【００７１】
しかも本実施の形態では、故障した第１の分割ファンユニット２３１1だけでなく周辺の第２〜第４の分割ファンユニット２３１2〜２３１4の風量制御を行うことができる。したがって、第１の分割ファンユニット２３１1の残りの冷却ファンだけを１００パーセントの出力に増加させる制御を行う場合と比べて、冷却ファン２７７の耐久性や騒音について良好な結果を得ることができる。
【００７２】
一例として第１の分割ファンユニット２３１1を取り外す場合にも、電源の供給停止によって該当する３個の冷却ファン２７７の回転が停止して、対応する箇所のフラッパ２５４がすべて閉じる。これにより、第１の分割ファンユニット２３１1を取り外す直前までエアーの逆流を防止することができる。新たな第１の分割ファンユニット２３１1をトレイユニット２３２に装着してこれに給電を行っていない状態でも同様である。
【００７３】
新たな第１の分割ファンユニット２３１1の実装が完了すれば、トレイユニット２３２がこれを認識し、ＰＷＭ制御回路２７３が再び正常状態における第１〜第４の分割ファンユニット２３１1〜２３１4に対する風量制御を行うことになる。
【００７４】
以上、第１〜第４の分割ファンユニット２３１1〜２３１4のうちの一部に故障が発生した場合を説明したが、第１〜第８のラインカード２１２1〜２１２8あるいは第１および第２のスイッチ・制御カード２１３1、２１３2の搭載位置の変更や、これら搭載カードの一部取り外しに対しても冷却ファン２７７の回転数の情報をＰＷＭ制御信号２９６として該当位置の分割ファンユニット２３１に通知することで、無駄な風量および消費電力を抑えることができる。
【００７５】
なお、ＰＷＭ制御回路２７３は、トレイユニット２３２側で一括管理し、第１〜第４の分割ファンユニット２３１1〜２３１4側では、レベル信号の切替程度のみとする。トレイユニット２３２側のＰＷＭ制御についても、エアーコンディショナ等の家電製品と異なり、動作パターンを３〜４パターンに絞り込むことができる。このため、プログラマブル的な回路は用いず、パルスジェネレータ等の外部設定をそのパターンに応じてディスクリートで作りこみ、パターンによってプライオリティを設けそれに応じて切替ることで、ＰＷＭ制御信号切替回路２７６経由でＰＷＭ制御信号２９６を各冷却ファン２７７に通知して、これらを適切な回転数に調整することができる。
【００７６】
このように本実施の形態によれば、電子機器冷却システム２００は次のような効果を得ることができる。
【００７７】
まず第１に、本実施の形態では第１〜第４の分割ファンユニット２３１1〜２３１4のいずれかの交換時に交換の対象とならなかった分割ファンユニット２３１の冷却ファン２７７の回転数を増加させる制御を行うようにしている。これにより、交換時の温度上昇を防ぎ、分割ファンユニット２３１の交換時間の制約を防ぐことができる。
【００７８】
第２に、本実施の形態では各冷却ファン２７７に対向する排気口にフラッパ２５４を配置している。これにより、特別の駆動機構を使用せずに冷却ファン２７７の故障や分割ファンユニット２３１交換時に排気した熱を再度吸い込むことを防止し、筐体内に収容した搭載カードの冷却効率を防ぐことができる。
【００７９】
第３に、本実施の形態では搭載カードの状況を通知してＰＷＭ制御に反映させるようにしている。これにより、第１〜第４の分割ファンユニット２３１1〜２３１4が正常に作動している状態でも、搭載カードの収容率が変化した場合、これに応じた風量（冷却ファン２７７の回転数）の制御が可能になって、無駄な電力消費を防ぐことができる。
【００８０】
第２に、本実施の形態ではＰＷＭ制御回路２７３をトレイユニット側で一括管理している。これにより、第１〜第４の分割ファンユニット２３１1〜２３１4側では、冷却ファン２７７の駆動のためのパルス幅を切り替える制御といった必要最小限の制御を行うだけで済み、回路規模増加、煩雑化を極力少なくすることができる。
【００８１】
＜発明の変形可能性＞
【００８２】
以上説明した実施の形態では、図５あるいは図７に示したトレイユニット２３２内にトレイ側アラーム検出回路２７１、実装情報制御回路２７２およびＰＷＭ制御回路２７３を設けた。これらの回路を図４に示すモジュール型通信システム２１１側に統合してもよい。また、その逆にモジュール型通信システム２１１側の回路をトレイユニット２３２内に移行させてもよい。
【００８３】
また、モジュール型通信システム２１１やトレイユニット２３２内の回路を信頼性の向上のために二重化することも可能である。この場合でも第１〜第４の分割ファンユニット２３１1〜２３１4側に現用系と待機系のうちの現用系の情報のみを引き込んで選択する切替回路をそれぞれ１回路ずつ設けるだけで、これら分割ファンユニット２３１側の回路の増加や煩雑化を防ぐことができる。
【００８４】
なお、実施の形態では電子機器冷却システム２００に分割ファンユニット２３１を４台配置したが、２台以上であればその台数は各種変更が可能である。また、１台の分割ファンユニット２３１に３個の冷却ファン２７７を配置したが、冷却ファン２７７の個数も実施の形態で示した個数に制限されるものではない。
【００８５】
また、実施の形態ではシステム本体２０１内に第１〜第８のラインカード２１２1〜２１２8と、第１および第２のスイッチ・制御カード２１３1、２１３2を収容した場合を説明した。システム本体２０１には、これに限らず冷却を必要とする各種のカードあるいは回路部品を収容できることは当然である。
【００８６】
以上説明した実施の形態の一部または全部は、以下の付記のようにも記載されるが、以下の記載に限定されるものではない。
【００８７】
（付記１）
空冷の対象となる回路部品を収容した空冷部品収容筐体と、
この空冷部品収容筐体の上部を覆うように水平に配置されエアー通過用の開口部を有する平板状部材と、
この平板状部材上に着脱自在に載置され、前記空冷部品収容筐体の上部からその筐体内部のエアーを吸引して排出する冷却ファンをそれぞれ収容した複数の冷却ユニットと、
前記複数の冷却ユニットのそれぞれと前記平板状部材の間の隙間に配置され、前記冷却ファンが作動していない箇所では所定間隔で複数並列に配置された短冊状の開閉部材が互いに重力によって水平に折り重なってエアーの通路を塞ぎ、前記冷却ファンが作動している箇所ではエアーの吸引によってそれぞれの開閉部材がそれらの支点を中心にエアーの吸引方向に変位してエアーの通路を開く通路開閉部材と、
前記複数の冷却ユニットのそれぞれの着脱を検出する冷却ユニット着脱検出手段と、
この冷却ユニット着脱検出手段の検出結果に応じて前記平板状部材に載置されている冷却ユニットに収容されているそれぞれの冷却ファンに印加する駆動パルスのパルス幅の一部または全部を空冷特性維持のため変更するユニット変更時冷却ファン駆動パルス変更手段
とを具備することを特徴とする電子機器冷却システム。
【００８８】
（付記２）
前記空冷部品収容筐体に着脱自在に収容された複数の回路部品の着脱を検出する回路部品着脱検出手段と、
この回路部品着脱検出手段の検出結果に応じて前記平板状部材に載置されている冷却ユニットに収容されているそれぞれの冷却ファンに印加する駆動パルスのパルス幅の一部または全部を空冷特性維持のため変更する回路部品変更時冷却ファン駆動パルス変更手段
を更に具備することを特徴とする付記１記載の電子機器冷却システム。
【００８９】
（付記３）
前記複数の冷却ユニットのそれぞれ収容する複数個の冷却ファンの故障の有無を検出する冷却ファン故障有無検出手段と、
この冷却ファン故障有無検出手段の検出結果に応じて前記平板状部材に載置されている冷却ユニットに収容されているそれぞれの冷却ファンに印加する駆動パルスのパルス幅の一部または全部を空冷特性維持のため変更する故障時冷却ファン駆動パルス変更手段
を更に具備することを特徴とする付記１記載の電子機器冷却システム。
【００９０】
（付記４）
前記ユニット変更時冷却ファン駆動パルス変更手段、回路部品変更時冷却ファン駆動パルス変更手段あるいは故障時冷却ファン駆動パルス変更手段は、該当する変更内容と対応するパルス幅を予め対比させて記憶したテーブルを用いて該当する冷却ファンの駆動パルスのパルス幅を変更することを特徴とする付記１〜付記３いずれかに記載の電子機器冷却システム。
【００９１】
（付記５）
前記複数の冷却ユニットは、同一形状および同一構造となっており、前記平板状部材の予め定めたユニット単位の区画のいずれに対しても着脱自在であることを特徴とする付記１記載の電子機器冷却システム。
【００９２】
（付記６）
前記複数の冷却ユニットのそれぞれには前記冷却ファンに駆動のための定電圧を供給する定電圧制御回路と、前記冷却ファンの異常を検出するファン側アラーム検出回路と、前記冷却ファンの駆動パルスを供給する駆動パルス供給回路が備えられており、
前記平板状部材の内部には前記複数の冷却ユニットのそれぞれの前記ファン側アラーム検出回路から送られてくるアラームを集結する平板状部材側アラーム検出回路と、前記複数の回路部品および前記複数の冷却ユニットの実装状態を判別する実装情報制御回路と、前記平板状部材側アラーム検出回路で集結したアラームと前記実装情報制御回路の判別した実装状態を基にして前記駆動パルスのパルス幅を制御するパルス幅制御回路が備えられていることを特徴とする付記２記載の電子機器冷却システム。
【００９３】
（付記７）
前記平板状部材の内部に備えられる回路の少なくとも一部は前記空冷部品収容筐体に分離して配置されることを特徴とする付記６記載の電子機器冷却システム。
【００９４】
（付記８）
空冷部品収容筐体に収容された空冷の対象となる複数の回路部品の実装状況を検出する回路部品実装状況検出ステップと、
前記空冷部品収容筐体の上部を覆うように水平に配置されエアー通過用の開口部を有する平板状部材上に着脱自在に載置され、前記空冷部品収容筐体の上部からその筐体内部のエアーを吸引して排出する冷却ファンをそれぞれ収容した複数の冷却ユニットの装着状況を検出する冷却ユニット装着状況検出ステップと、
これら回路部品実装状況検出ステップおよび冷却ユニット装着状況検出ステップで検出した状況に対応させて、装着状態にある冷却ユニットの個々の冷却ファンの駆動パルスのパルス幅を設定するパルス幅設定ステップ
とを具備することを特徴とする電子機器冷却方法。
【００９５】
（付記９）
冷却ユニット装着状況検出ステップで実装が検出された冷却ユニットにおける冷却ファンの故障を検出する冷却ファン故障検出ステップと、
この冷却ファン故障検出ステップで検出した冷却ファンの故障状況に対応して、前記パルス幅設定ステップで設定した故障していない冷却ファンの駆動パルスのパルス幅を修正するパルス幅修正ステップ
とを更に具備することを特徴とする付記８記載の電子機器冷却方法。
【００９６】
（付記１０）
コンピュータに、
空冷部品収容筐体に収容された空冷の対象となる複数の回路部品の実装状況を検出する回路部品実装状況検出処理と、
前記空冷部品収容筐体の上部を覆うように水平に配置されエアー通過用の開口部を有する平板状部材上に着脱自在に載置され、前記空冷部品収容筐体の上部からその筐体内部のエアーを吸引して排出する冷却ファンをそれぞれ収容した複数の冷却ユニットの装着状況を検出する冷却ユニット装着状況検出処理と、
これら回路部品実装状況検出処理および冷却ユニット装着状況検出処理で検出した状況に対応させて、装着状態にある冷却ユニットの個々の冷却ファンの駆動パルスのパルス幅を設定するパルス幅設定処理
とを具備することを特徴とする電子機器冷却プログラム。
【００９７】
（付記１１）
冷却ユニット装着状況検出処理で実装が検出された冷却ユニットにおける冷却ファンの故障を検出する冷却ファン故障検出処理と、
この冷却ファン故障検出処理で検出した冷却ファンの故障状況に対応して、前記パルス幅設定処理で設定した故障していない冷却ファンの駆動パルスのパルス幅を修正するパルス幅修正処理
とを更に具備することを特徴とする付記１０記載の電子機器冷却プログラム。
【符号の説明】
【００９８】
１０  電子機器冷却システム
１１  空冷部品収容筐体
１２  平板状部材
１３  複数の冷却ユニット
１４  通路開閉部材
１５  冷却ユニット着脱検出手段
１６  ユニット変更時冷却ファン駆動パルス変更手段
２０  電子機器冷却方法
２１  回路部品実装状況検出ステップ
２２  冷却ユニット装着状況検出ステップ
２３  パルス幅設定ステップ
３０  電子機器冷却プログラム
３１  回路部品実装状況検出処理
３２  冷却ユニット装着状況検出処理
３３  パルス幅設定処理
２００  電子機器冷却システム
２０１  システム本体
２０２  ファンユニット
２１１  モジュール型通信システム
２１２  ラインカード
２１３  スイッチ・制御カード
２２１  矢印（エアーの取り込み）
２２２  矢印（エアーの排出）
２３１  分割ファンユニット（冷却ユニット）
２３２  トレイユニット
２３４  共通制御部
２４１〜２４３  排気口
２５４  フラッパ（短冊状の開閉部材）
２７１  トレイ側アラーム検出回路
２７２  実装情報制御回路
２７３  ＰＷＭ制御回路
２７４  定電圧制御回路
２７５  ファン側アラーム検出回路
２７６  ＰＷＭ制御信号切替回路
２７７  冷却ファン
【図１】
2011249505.tif 000003
【図２】
2011249505.tif 000004
【図３】
2011249505.tif 000005
【図４】
2011249505.tif 000006
【図５】
2011249505.tif 000007
【図６】
2011249505.tif 000008
【図７】
2011249505.tif 000009
【図８】
2011249505.tif 000010
【図９】
2011249505.tif 000011
【図１０】
2011249505.tif 000012
【図１１】
2011249505.tif 000013
【図１２】
2011249505.tif 000014
【図１３】
2011249505.tif 000015